(57)【要約】【課題】  変形可能な背凭れ板の背面を押圧手段にて部分的に押圧支持するとともに、該背凭れ板の背面を押圧支持する位置を変更可能なランバーサポート機構を備えた椅子において、ランバーサポート機構に何ら設計変更を加えることなく、最小限の部品の追加によって前記背凭れ板の背面を保護することが可能であり、構造も簡単で安価に構成できるランバーサポート機構を備えた椅子における保護装置を提供する。【解決手段】  ランバーサポート機構１４は、少なくとも背凭れ板を前方に押し出すための押圧手段（ローラ２６）と、押圧手段を作動させるための操作手段（ハンドル２２）とを備え、押圧部以外の機構部と背凭れ板の背面間に保護板２８又は保護シートを添着し、押圧部以外の機構部と背凭れ板の背面が直接接触することを防止してなる。【選択図】        図５
2006263096.tif 000002
【特許請求の範囲】
【請求項１】
変形可能な背凭れ板の背面を押圧手段の押圧部にて部分的に押圧支持するとともに、該背凭れ板の背面を押圧支持する位置を変更可能なランバーサポート機構を備えた椅子において、前記ランバーサポート機構は、少なくとも背凭れ板を前方に押し出すための押圧手段と、該押圧手段を作動させるための操作手段とを備え、前記押圧部以外の機構部と前記背凭れ板の背面間に保護板又は保護シートを添着し、前記押圧部以外の機構部と背凭れ板の背面が直接接触することを防止してなることを特徴とするランバーサポート機構を備えた椅子における保護装置。
【請求項２】
前記ランバーサポート機構は、背凭れ板を複数の箇所で前方に押し出すための複数の押圧手段と、これらの押圧手段を作動させるための操作手段と、前記操作手段の操作によって複数の押圧手段を強制的に同期して作動させる連結手段とを備え、前記連結手段には左右方向に延びて上下に配した操作連動軸と作動連動軸とを有し、前記保護板又は保護シートの一部に形成した切欠部を前記操作連動軸と作動連動軸とに係合させて保持してなる請求項１記載のランバーサポート機構を備えた椅子における保護装置。
【請求項３】
前記保護板又は保護シートの縁部を前記ランバーサポート機構の機構部側へ湾曲させて、ガイド部を形成してなる請求項１又は２記載のランバーサポート機構を備えた椅子における保護装置。
【請求項４】
前記背凭れ板の背面に、前記保護板又は保護シートを接着等によって添設してなる請求項１記載のランバーサポート機構を備えた椅子における保護装置。
【発明の詳細な説明】
【技術分野】
【０００１】
本発明は、ランバーサポート機構を備えた椅子における保護装置に係わり、更に詳しくは変形可能な背凭れ板の背面を押圧支持する位置を変更可能なランバーサポート機構を備えた椅子おいて、該背凭れ板の背面を保護する装置に関するものである。
【背景技術】
【０００２】
従来から、ランバーサポート付き椅子は、本出願人の先願に係る特許文献１等において開示されている。即ち、特許文献１には、背部を、着座した人の背凭れ荷重を受ける背凭れ板と、この背凭れ板を部分的に前方に押し出すランバーサポート機構とを備えた構成としており、前記ランバーサポート機構は、背凭れ板を複数の箇所で前方に押し出すための複数の押圧手段と、これらの押圧手段を作動させるための操作手段と、前記操作手段の操作によって複数の押圧手段を強制的に同期して作動させる連結手段とを備えたランバーサポート付き椅子が開示されている。
【０００３】
そして、前記押圧手段は、背凭れ板のうち主として着座した人の腰部が当たる部分を押圧するものであって、椅子の正面視で縦長中心線を挟んだ左右両側の２ヵ所に配置されていると共に、これら左右の押圧手段は、上部又は下部を中心にして前後方向に回動することによって前記背凭れ板を前方に押し出したり戻したりするテコ式の支持アームと、この支持アームを回動中心から適宜距離だけ離れた部位において後方から支持する回転式偏心カムとをそれぞれ備えており、前記左右の回転式偏心カムを、両者が水平状の回転軸心回りに一緒に回転するように、椅子の正面視で水平状に延びる作動連動軸によって一体に連結しているのである。
【０００４】
ここで、前記背凭れ板は、変形可能な可撓性を有するものであり、押圧手段を構成する左右一対のローラで背凭れ板の背面を部分的に押圧して変形させるのであるが、椅子に着座して背凭れ板に凭れ掛かったたままで、ランバーサポート機構を操作すると、特に上下方向に押圧手段を移動させると、ローラ以外のランバーサポート機構が部分的に背凭れ板の背面を擦り、該背凭れ板の背面に損傷を与えることがある。特に、表面から裏面にかけてクロスを張った背凭れ板を使用する場合、背面のクロスに引っ掻き傷が発生し、極端な場合にはクロスが破れる問題があった。
【特許文献１】特開２００３−２５０６５８号公報
【発明の開示】
【発明が解決しようとする課題】
【０００５】
そこで、本発明が前述の状況に鑑み、解決しようとするところは、変形可能な背凭れ板の背面を押圧手段にて部分的に押圧支持するとともに、該背凭れ板の背面を押圧支持する位置を変更可能なランバーサポート機構を備えた椅子において、ランバーサポート機構に何ら設計変更を加えることなく、最小限の部品の追加によって前記背凭れ板の背面を保護することが可能であり、構造も簡単で安価に構成できるランバーサポート機構を備えた椅子における保護装置を提供する点にある。
【課題を解決するための手段】
【０００６】
本発明は、前述の課題解決のために、変形可能な背凭れ板の背面を押圧手段の押圧部にて部分的に押圧支持するとともに、該背凭れ板の背面を押圧支持する位置を変更可能なランバーサポート機構を備えた椅子において、前記ランバーサポート機構は、少なくとも背凭れ板を前方に押し出すための押圧手段と、該押圧手段を作動させるための操作手段とを備え、前記押圧部以外の機構部と前記背凭れ板の背面間に保護板又は保護シートを添着し、前記押圧部以外の機構部と背凭れ板の背面が直接接触することを防止してなるランバーサポート機構を備えた椅子における保護装置を構成した（請求項１）。
【０００７】
ここで、前記ランバーサポート機構は、背凭れ板を複数の箇所で前方に押し出すための複数の押圧手段と、これらの押圧手段を作動させるための操作手段と、前記操作手段の操作によって複数の押圧手段を強制的に同期して作動させる連結手段とを備え、前記連結手段には左右方向に延びて上下に配した操作連動軸と作動連動軸とを有し、前記保護板又は保護シートの一部に形成した切欠部を前記操作連動軸と作動連動軸とに係合させて保持してなることが好ましい（請求項２）。
【０００８】
更に、前記保護板又は保護シートの縁部を前記ランバーサポート機構の機構部側へ湾曲させて、ガイド部を形成してなることがより好ましい（請求項３）。
【０００９】
そして、前記背凭れ板の背面に、前記保護板又は保護シートを接着等によって添設してなることも好ましい（請求項４）。
【発明の効果】
【００１０】
以上にしてなる請求項１に係る発明のランバーサポート機構を備えた椅子における保護装置は、ランバーサポート機構に何ら設計変更を加えることなく、最小限の部品の追加によって背凭れ板の背面を保護することが可能であり、構造も簡単で安価に構成できるのである。特に、椅子に着座して背凭れ板に凭れ掛かったたままで、ランバーサポート機構を操作して上下方向に押圧手段を移動させても、背凭れ板の背面を擦ったり、該背凭れ板の背面に損傷を与えることがなく、しかも表面から裏面にかけてクロスを張った背凭れ板を使用する場合にも、背面のクロスに引っ掻き傷が発生したり、クロスが破れたりする恐れがないのである。
【００１１】
請求項２によれば、ランバーサポート機構を構成する連結手段の操作連動軸と作動連動軸とに、保護板又は保護シートの一部に形成した切欠部を係合させて保持するだけで、背凭れ板の背面を保護することができ、しかもランバーサポート機構に対する設計変更は全くなく、単に安価な保護板又は保護シートを用意すれば済むので、最小限の部品の追加で最大限の保護効果を達成できるのである。
【００１２】
請求項３によれば、保護板又は保護シートの縁部をランバーサポート機構の機構部側へ湾曲させてガイド部を形成することにより、クロス張りの背凭れ板でもその背面に保護板又は保護シートの縁部が引っ掛かることを防止できる。
【００１３】
請求項４によれば、背凭れ板の背面に保護板又は保護シートを接着等によって添設することにより、該背凭れ板の背面を確実に保護することができる。
【発明を実施するための最良の形態】
【００１４】
次に、添付図面に示した実施形態に基づき、本発明を更に詳細に説明する。先ず、本発明の保護装置を適用するランバーサポート機構を備えた椅子は、図１及び図２に示している。即ち、椅子は、脚支柱（ガスシリンダ）１を立設した脚部２と、座部３と、肘掛け部４と、背部５と、ヘッドレスト６とを備えている。脚支柱１の上端には上向きに開口したベース７が固定されており、ベース７の上方に正面視で翼状に広がる中間部材８と、座部３とが配置されている。
【００１５】
ここで、座部３は、図１に示すように、合成樹脂製の座板（座インナー部材）にクッションを張った構造になっており、座板の左右両側部を中間部材に対して前後動自在に装着している。ベース７の前後略中間部には、揺動フレーム９の前部が軸着され、該揺動フレーム９の前後中途部には、中間部材８の後部に軸着されている。また、前記揺動フレーム９は前傾する方向に弾性付勢されていおり、揺動フレーム９が後傾すると、中間部材８及び座部３は揺動フレーム９の後傾動に連動して後傾しつつ後退する（すなわち、座部３が背部５にシンクロする）。揺動フレーム９は、後部に立ち上がり部９Ａを有する側面視略Ｌ字状に形成されており、本実施形態では、アルミのような軽合金（鉄のような他の金属でも良い）のダイキャストや合成樹脂の成形によって製造されている。
【００１６】
更に、背部５の詳細を図１及び図２に基づいて説明する。図２は背凭れ板１１を省略した状態での背部５の斜視図である。背部５は、揺動フレーム９に取付けたバックフレーム１０と、バックフレーム１０の手前側に配置した背凭れ板１１と、バックフレーム１０の裏側に配置した裏カバー１２とを備えている。背凭れ板１１の前面にはクッション１３を張っている。また、図示しないが、前記クッション１３の表面から背凭れ板１１の背面にかけてクロスを張っている。前述のとおり、背部５は、金属製のバックフレーム１０と合成樹脂製の背凭れ板１１と同じく合成樹脂製の裏カバー１２とを備えており、バックフレーム１０にランバーサポート機構１４を上下動自在に取付けている。
【００１７】
前記バックフレーム１０は、左右の縦フレーム１０Ａを備えており、バックフレーム１０の左右縦フレーム１０Ａの下端部は、揺動フレーム９の立ち上がり部９Ａに設けた穴に嵌め込まれている。縦フレーム１０Ａは図示しないねじで揺動フレーム９の立ち上がり部９Ａに固定されている。左右の縦フレーム１０Ａは、上部ステー１０Ｂと下部ステー１０Ｃとで連結されている。下部ステー１０Ｃは、裏カバー１２に突設した突出部にねじで固定されている。また、裏カバー１２の上部には、前向きに突出した左右長手の水平リブ１５を形成しており、この水平リブ１５に連設した状態で左右一対の下向き開口筒部１６が形成されており、この下向き開口筒部１６に、バックフレーム１０の縦フレーム１０Ａの上端を嵌め込み、ねじで固定している。
【００１８】
また、裏カバー１２の下部でかつ左右中間部の前面には、左右のブラケット板を介して係止バー１７を一体に形成している。また、背凭れ板１１の上部には、裏カバー１２の水平リブ１５よりも上方に位置する左右長手の水平片を後ろ向きに突設しており、水平片の左右両端部を裏カバー１２の水平リブ１５に連設した円筒状の上受け部に上方から嵌め込んでいる。
【００１９】
そして、背凭れ板１１の下部には、下取付け部の一例として、バックフレーム１０と係止バー１７との間に上方から嵌まり込む下部係合爪（図示せず）を一体に形成している。下部係合爪は、背凭れ板１１が手前側に移動し得るように上下方向に長く延びており、その下端は、係止バー１７に引っ掛かる爪が形成されている。これにより、背凭れ板１１の前向き移動限度が規制される。背凭れ板１１がその下部において前後動することが許容されており、このため、背凭れ板１１は側面視でも撓み変形が可能なっており、その結果、着座した人に対するフィット感が高い利点がある。
【００２０】
次に、図１及び図２を参照してランバーサポート機構１４について簡単に説明する。ランバーサポート機構１４は、バックフレーム１０の縦フレーム１０Ａに上下動自在に装着したスライダー１８と、左右のスライダー１８を一体に連結する連結板１９と、スライダー１８に設けた支持アーム（押圧手段の一例）２０と、水平状に延びる操作連動軸２１と、操作手段の一例としてのハンドル２２とを備えている。そして、スライダー１８に対して上向き又は下向きのある程度の力を掛けると、ランバーサポート機構１４を上下動させることができ、かつ、上下方向の外力がなくなると、ランバーサポート機構１４はその高さに停止する。これにより、身長の違いに関係なく、着座した人の腰を的確に支持することができる。
【００２１】
前記スライダー１８には、操作連動軸２１の左右端部が回転可能に貫通している。操作連動軸２１は左右スライダー１８の間でクランク状に曲げられており、操作連動軸２１のクランク部２１Ａを連結板１９に当てることにより、一方方向の回転限度が規制されている。
【００２２】
そして、支持アーム２０の上部に前記操作連動軸２１の左右端部が貫通している。換言すると、支持アーム２０は操作連動軸２１によって回動自在に軸支され、支持アーム２０は操作連動軸２１を中心にして回動する。操作連動軸２１の下方に平行して連結手段の一例としての作動連動軸２３が横設されており、前記支持アーム２０と裏カバー１２との間に設けた受けケース内に貫通した作動連動軸２３の端部に、ラチェットギアと偏心カムとが一体に固定されている。この作動連動軸２３によって左右２個ずつのラチェットギアと偏心カムとは強制的に同期して回転することになる。
【００２３】
作動連動軸２３は、連結板１９にねじ止め等によって設けた受け部材２４で支持されている。また、連結板１９には、受け部材２４を介して板ばね２５が押さえ固定されており、この板ばね２５により、操作連動軸２１のクランク部２１Ａを押さえている。そして、前記偏心カムの外周面で支持アーム２０を支持するようになっているが、偏心カムの外周面に軸心からの距離が異なる複数（６個）の偏心カム面を形成している。従って、偏心カムが回転すると支持アーム２０が回動し、支持アーム２０の支持状態が４段階に切り変わるようになっているが、この場合、偏心カムのカム面は作動連動軸２３の軸心方向から見て対称状に形成されておる。このため、偏心カムが一方向に回転すると、支持アーム２０の回動角度は段階的に大きくなってから、ピークを過ぎると段階的に小さくなる。
【００２４】
そして、支持アーム２０の下端には、背凭れ板１１の背面に当たる紡錘状のローラ（押圧部）２６を設けている。また、図示しないが、背凭れ板１１のうちローラ２６が当たる部分の周辺部にはスリットの群を多段に形成している。これは、背凭れ板１１の変形を容易ならしめるためである。
【００２５】
受けケースの内部には、操作連動軸２１の端部にキー式係合等によって固定されたシーソー式回動部（図示せず）材が配置されており、回動部材に、ラチェットギアに噛合する爪材を摺動自在に取付けている。従って、回動部材を回動させるとラチェットギアと偏心カムとが回転する。左右の回動部材はハンドル２２の左右端部にねじで固定されている。ハンドル２２は裏カバー１２を後ろ側から覆うように形成されている。また、ハンドル２２の左右端部に立ち上がり部２２Ａを設け、立ち上がり部２２Ａの上端が回動部材にねじで固定されている。ハンドル２２と裏カバー１２との間には、当該ハンドル２２を人が握ったり、ハンドル２２に服やタオルなどを掛けたりすることのできる程度の空間が空いている。操作連動軸２１のクランク部２１Ａは板ばね２５で押さえられているため、回動部材（及びハンドル２２）も、板ばね２５の弾性力によって付勢されている。
【００２６】
そして、ハンドル２２を手で持って手前側に回動させると、回動部材が回動して偏心カムが位置方向に間欠的に回転するため、すなわち、偏心カムはロータリー式になっているため、支持アーム２０が回動することによってその先端部のローラ２６，２６が背凭れ板１１を少しずつ押すことができ、これにより、背凭れ板１１のうち主として人の腰に当たる部分を段階的に突出させることができる。
【００２７】
この場合、実施形態では支持アーム２０の押し出し状態を４段階に変えることができるが、偏心カムのカム面が対称状に形成されているため、背凭れ板１１を最大突出位置まで押し出してから次にハンドル２２を回動させると、背凭れ板１１は２番目に大きい突出位置に後退し、更にハンドル２２を回動操作すると、次の低い段階に変化する。すなわち、背凭れ板１１の突出（前進）量が少しずつ変化する。このため、着座した人が背部５にもたれ掛かった状態でハンドル２２を操作しても、着座した人に衝撃が掛かることはない。また、ハンドル２２を手で持ってある程度の力を掛けて上下方向に押し引きすると、前記ランバーサポート機構１４を上下動させることができる。
【００２８】
本実施形態のようにハンドル２２の左右端部に立ち上がり部２２Ａを設けると、着座した状態でハンドル２２を簡単に掴むことができるため、着座した状態のままでランバーサポート機構１４の高さ調節や突出量調節を簡単に行うことができる利点がある。
【００２９】
次に、本発明の第１実施形態を図３〜図６に基づいて説明する。前述のように、変形可能な背凭れ板１１の背面に、押圧手段である支持アーム２０の先端部のローラ２６が押圧し、前記ハンドル２２を操作することにより、該ローラ２６の突出高さが変化し、それにより前記背凭れ板１１の前方へ押出される程度が変化し、腰部への支持状態が変化するのである。そして、着座したまま前記ハンドル２２を操作してランバーサポート機構１４の高さを調節することができるのである。ここで、本来は前記ローラ２６，２６のみが背凭れ板１１の背面に当接することを期待しているが、背凭れ板１１に凭れ掛かったままランバーサポート機構１４を操作すると、前記ローラ２６，２６とは異なる機構部が背凭れ板１１の背面に当接し、該背面に引っ掻き傷をつけることがある。
【００３０】
予期しないランバーサポート機構１４による背凭れ板１１の背面への当接は、主に前記ハンドル２２の両側に設けた立ち上がり部２２Ａの端部の連結部２７、スライダー１８及び支持アーム２０等の押圧部以外の機構部（以下、単に「機構部」と称する）である。本発明では、これら機構部を背凭れ板１１の背面に直接接触しないように、機構部と前記背凭れ板１１の背面間に保護板２８又は保護シートを添着するのである。
【００３１】
前記保護板２８は、図３に示すように、可撓性と摺動性を有する合成樹脂製板をプレス成形して型抜き形成している。当該保護板２８は、一端部に前記操作連動軸２１と作動連動軸２３とに係合するスリット状の切欠部２９，２９を形成してあり、該切欠部２９の奥端部は前記操作連動軸２１又は作動連動軸２３を受け入れる嵌合部２９Ａとし、その他の部分は前記操作連動軸２１と作動連動軸２３の直径より溝幅が狭いガイド溝２９Ｂとしている。前記保護板２８の材質としては、ポリエチレンテレフタレート（ＰＥＴ）やポリプロピレン（ＰＰ）等のポリオレフィン系樹脂を用いることができ、これらの再生樹脂を用いれば環境対応で更に好ましい。
【００３２】
そして、前記保護板２８は、図４及び図５に示すように、前記切欠部２９，２９内に前記操作連動軸２１及び作動連動軸２３をそれぞれ受け入れ、嵌合部２９Ａ，２９Ａに係合させて保持し、前記機構部の前面を覆い、該機構部が直接背凭れ板１１の背面に当接するのを防止し、もって当該背面の傷付きを防止するのである。尚、前記保護板２８は、前記操作連動軸２１及び作動連動軸２３に対して斜めに交叉した状態となるので、前記嵌合部２９Ａは長形としている。従って、前記保護板２８の位置決めが難しくなるが、本実施形態では図４及び図５に示すように、当該保護板２８の内方端縁を前記受け部材２４若しくは板ばね２５の側端に当止して位置決めを図っている。このように、前記保護板２８を装着してもランバーサポート機構１４の動作に何ら支障がなく、ランバーサポート機構１４を上下に移動させれば、前記保護板２８が背凭れ板１１の背面を摺動するのである。尚、前記保護板２８は、本実施形態では反対称形のものを左右一対用いるので、装着時に左右位置を間違わないように、それぞれ正規の側に装着した場合に読み取れる文字からなる表示部３０を打ち抜き形成している。また、前記保護板２８の遊端側の周囲は、円弧状に面取りして摺動性を高めている。
【００３３】
図６は、第１実施形態における前記保護板２８の変形例である。この実施形態の保護板２８は、上下の縁部を前記ランバーサポート機構１４の機構部側へ湾曲させて、摺動に対するガイド部３１を形成したものである。前記ガイド部３１は、前記保護板２８の上縁又は下縁、若しくは上下縁の両方に形成することは、機構部の背凭れ板１１の背面への接触具合によって決定すればよい。
【００３４】
また、図７に示した第２実施形態は、一枚物の保護板３２をランバーサポート機構１４の左右の機構部を覆う位置で、適宜な手段にてランバーサポート機構１４に取付け、もって保護板３２を背凭れ板１１の背面と機構部との間に介在させて該背面を保護するのである。この場合、前記保護板３２の取付手段は、嵌着、係着、螺着、接着等の適宜な手段を採用する。勿論、取付手段が新たに背凭れ板１１の背面を損傷させる原因とならないようにする。本実施形態を更に発展させれば、ランバーサポート機構１４のローラ２６，２６（押圧部）以外の機構部を覆うカバーを成形によって形成し、ランバーサポート機構１４の前面側に装着してもよい。この場合、背凭れ板１１と裏カバー１２との間の側方の隙間から機構部を隠蔽できるので、外観性においてもまた機構部を埃や異物から保護する上でも好ましいのである。
【００３５】
また、図８に示した第３実施形態は、一枚物の保護シート３３をランバーサポート機構１４の前面側に対応する位置の背凭れ板１１の背面に添設したものである。尚、図８には背凭れ板１１は省略しているが、前記保護シート３３は背凭れ板１１の背面に接着、縫着等によって添設するのである。ここで、前記保護シート３３の大きさは、前記ランバーサポート機構１４の可動範囲を考慮して決定する。この実施形態を更に発展させれば、前記背凭れ板１１の背面を強度の高いシート材で作製することが考慮される。尚、前記保護シート３３は、一枚物である必要はなく、分割シートを所望位置に添設することによってもその目的は達成する。
【００３６】
本発明は、ランバーサポート機構１４の押圧手段を構成する押圧部がローラ２６，２６であったが、押圧部が断面円弧状の摺動部材であってもよく、その場合、ランバーサポート機構１４を上下動させると、押圧部が背凭れ板１１の背面を摺動するのであるが、図８に示した実施形態と同様に、該押圧部が摺動する範囲を含めて保護シート３３を背凭れ板１１の背面に添設し、あるいは押圧部を含めてランバーサポート機構１４を覆うようにその可動部に添設してもよい。
【００３７】
そして、図９に示した第４実施形態は、前述の実施形態とは趣を異にするものであるが、ランバーサポート機構１４の押圧手段の左右押圧部を、左右に連続して円弧状に延びたランバーサポート３４としたものである。この場合、押圧部としての前記ローラ２６は、合成樹脂の成形品であるが、円周部に成形時にバリが生じたり、金型のズレによる微小段差が生じたり、成形不良が発生する可能性があるが、その場合にはローラ２６自体が背凭れ板１１の背面を傷付ける原因となるので、この既製のローラ２６，２６を隠すように帯状のランバーサポート３４を支持アーム２０，２０の先端部に装着するのである。
【００３８】
本発明は、ランバーサポート機構１４を備えた椅子における背凭れ板１１の背面に対する保護装置として説明したが、変形可能なシート体の背面側に、押圧部が位置変更可能な押圧手段を配置し、該押圧手段の押圧部でシート体の背面を押圧して該シート体の支持位置を変更したり、該シート体自体の形状を変更したりする一般的な押圧変形機構において採用することができる。
【図面の簡単な説明】
【００３９】
【図１】本実施形態で使用したランバーサポート機構を備えた椅子の一部破断して示した側面図である。
【図２】同じく背凭れ板とヘッドレストを省略した椅子の斜視図である。
【図３】第１実施形態の保護板の斜視図である。
【図４】保護板を添設する前の状態を示した椅子の背部の部分斜視図である。
【図５】保護板を添設した状態の椅子の部分斜視図である。
【図６】第１実施形態の変形例を示す拡大部分斜視図である。
【図７】第２実施形態を示す背凭れ板とヘッドレストを省略した椅子の斜視図である。
【図８】第３実施形態を示す背凭れ板とヘッドレストを省略した椅子の斜視図である。
【図９】第４実施形態を示す背凭れ板とヘッドレストを省略した椅子の斜視図である。
【符号の説明】
【００４０】
１  脚支柱                ２  脚部
３  座部                  ４  肘掛け部
５  背部                  ６  ヘッドレスト
７  ベース                ８  中間部材
９  揺動フレーム          ９Ａ  立ち上がり部
１０  バックフレーム      １０Ａ  縦フレーム
１０Ｂ上部ステー          １０Ｃ  下部ステー
１１  背凭れ板            １２  裏カバー
１３  クッション          １４  ランバーサポート機構
１５  水平リブ            １６  開口筒部
１７  係止バー            １８  スライダー
１９  連結板              ２０  支持アーム
２１  操作連動軸          ２１Ａ  クランク部
２２  ハンドル            ２２Ａ  立ち上がり部
２３  作動連動軸          ２４  受け部材
２５  板ばね              ２６  ローラ
２７  連結部              ２８  保護板
２９  切欠部              ２９Ａ  嵌合部
２９Ｂ  ガイド溝          ３０  表示部
３１  ガイド部            ３２  保護板
３３  保護シート          ３４  ランバーサポート
【図１】
2006263096.tif 000003
【図２】
2006263096.tif 000004
【図３】
2006263096.tif 000005
【図４】
2006263096.tif 000006
【図５】
2006263096.tif 000007
【図６】
2006263096.tif 000008
【図７】
2006263096.tif 000009
【図８】
2006263096.tif 000010
【図９】
2006263096.tif 000011